(57)【要約】【課題】立ち上がり壁部の上下方向の下部や中央部が水跳ねにより濡れた場合に吐水部に邪魔されることなく容易に拭き取ることができる。洗髪をしたり、ボウル部で衣類等を手洗いしたり、ペットを洗ったりする際に吐水部が邪魔にならずに使用勝手がよい。吐水部が汚れにくく、更に、前方から見た際に吐水部が目立ち難くて外観がよくなる。【解決手段】ボウル部１の後端部に左右方向の全巾にわたってボウル部１と一体に立ち上がり壁部２を上方に向けて突出し、該立ち上がり壁部２の垂直面となった前面の左右方向の中間の上端に吐水部３を取付け、該吐水部３の上端を立ち上がり壁部２の上端面と同一高さ又は僅かに低い位置に位置させ、立ち上がり壁部２の上端面にミラーキャビネット４の下面部の後端部を載設する。【選択図】図１
2012020192.tif 000002
【特許請求の範囲】
【請求項１】
ボウル部の後端部に左右方向の全巾にわたってボウル部と一体に立ち上がり壁部を上方に向けて突出し、該立ち上がり壁部の垂直面となった前面の左右方向の中間の上端に吐水部を取付け、該吐水部の上端を立ち上がり壁部の上端面と同一高さ又は僅かに低い位置に位置させ、立ち上がり壁部の上端面にミラーキャビネットの下面部の後端部を載設して成ることを特徴とする洗面化粧台。
【請求項２】
吐水部をミラーキャビネットの前端よりも後方にずれた位置に位置させて成ることを特徴とする請求項１記載の洗面化粧台。
【請求項３】
吐水部の上端がミラーキャビネットの下面に当接していることを特徴とする請求項１又は請求項２記載の洗面化粧台。
【発明の詳細な説明】
【技術分野】
【０００１】
本発明は、洗面化粧台に関するものである。
【背景技術】
【０００２】
従来、洗面化粧台のバックガードと称される立ち上がり壁部の上下方向の略中央部に吐水部を突出して設けること、あるいは、立ち上がり壁部の上端面に載置するミラーキャビネットの立ち上がり壁部よりも前方に突出した部分の下面部に吐水部を設けることが特許文献１により知られている。
【０００３】
ところが、上記従来例において、立ち上がり壁部の上下方向の下部、場合によっては中央部が水跳ねにより濡れることがある。特に、顔を手で洗う際、通常、頭をミラーキャビネットの前面にできるだけ近づけると共に顔をボウル部１にできるだけ近づけた状態で手で顔を洗うので、手から飛び散った水が立ち上がり壁部２の上下方向の下部を濡らすことがあり、時によっては、立ち上がり壁部２の上下方向の中央部も濡らすことがある。
【０００４】
したがって、立ち上がり壁部の上下方向の略中央部に吐水部を設ける従来例にあっては、立ち上がり壁部の下部や中央部の水跳ねで濡れた箇所を拭く際に、吐水部が邪魔になって立ち上がり部の下部や中央部が拭きにくいという問題があり、また、立ち上がり壁部の上下方向の略中央部に突出して設けた吐水部も水跳ねにより濡れるが、吐水部は形状が複雑であるため、濡れた水を綺麗に拭き取るのが難しく、また、水跳ねにより吐水部が濡れると、汚れが付着しやすい。しかも、立ち上がり壁部の上下方向の略中央部に突出して設けた吐水部の上面には埃が積もって汚れとして付着し易く、外観上も前方から見た場合、立ち上がり壁部の上下方向の略中央部に吐水部が突出して見え、しかも、この吐水部の上面の汚れが見えてしまい、外観上好ましくないという問題があった。また、吐水部が立ち上がり壁部の上下方向の略中央部に突出しているため、洗髪をしたり、ボウル部で衣類を手洗いしたり、あるいはペットを洗ったりする際、立ち上がり壁部の上下方向の略中央部から突出している吐水部が邪魔になるという問題がある。
【０００５】
また、ミラーキャビネットの立ち上がり壁部よりも前方に突出した部分の下面部に吐水部を設けたものにおいては、立ち上がり壁部の上下方向の下部、場合によっては中央部が水跳ねによって濡れた場合、立ち上がり壁部の濡れた箇所を拭き取る作業が吐水部に邪魔されることなく容易にできるという特徴を有している。しかしながら、洗面台キャビネット側には排水の配管があるので、給水、排水を含め、洗面台キャビネット側に給排水の配管をまとめるのが配管施工上有利であるが、上記のようにミラーキャビネット側に吐水部を持ってくると、ミラーキャビネット側に給水配管が必要となり、ミラーキャビネットの施工が複雑となり、しかも、ミラーキャビネット内に給水配管を設けるため、ミラーキャビネットに設けられる収納部の容量が小さくなってしまう。特に、ミラーキャビネット内の下部には歯ブラシ等や化粧品等の毎日使用する小物を入れる収納部が必要であるが、このミラーキャビネット内の下部の収納スペースの容量が小さくなってしまう。
【０００６】
また、上記特許文献１に示された吐水部はミラーキャビネットの前面下端の下方位置においてミラーキャビネットの前面よりも前方に突出しているため、吐水部が目立って圧迫感があり、外観がよくなく、また吐水部の突出した部分が邪魔になる。
【先行技術文献】
【特許文献】
【０００７】
【特許文献１】特開２００１−６１６８５号公報
【発明の概要】
【発明が解決しようとする課題】
【０００８】
本発明は上記の従来の問題点に鑑みて発明したものであって、立ち上がり壁部の上下方向の下部や中央部が水跳ねにより濡れた場合に吐水部に邪魔されることなく容易に拭き取ることができ、また、洗髪をしたり、ボウル部で衣類等を手洗いしたり、ペットを洗ったりする際に吐水部が邪魔にならずに使用勝手がよく、また、吐水部が汚れにくく、更に、前方から見た際に吐水部が目立ち難くて外観がよくなる洗面化粧台を提供することを課題とするものである。
【課題を解決するための手段】
【０００９】
上記課題を解決するために本発明に係る洗面化粧台は、ボウル部１の後端部に左右方向の全巾にわたってボウル部１と一体に立ち上がり壁部２を上方に向けて突出し、該立ち上がり壁部２の垂直面となった前面の左右方向の中間の上端に吐水部３を取付け、該吐水部３の上端を立ち上がり壁部２の上端面と同一高さ又は僅かに低い位置に位置させ、立ち上がり壁部２の上端面にミラーキャビネット４の下面部の後端部を載設して成ることを特徴とする。
【００１０】
このような構成とすることで、立ち上がり壁部２の前面の上下方向の下部、場合によっては中央部が水跳ねにより濡れることがあっても、ボウル部１の後端部に左右方向の全巾にわたってボウル部１と一体に立ち上がり壁部２を上方に向けて突出し、立ち上がり壁部２の垂直面となった前面の下部や中央部の濡れた部分を拭く際に立ち上がり壁部２の垂直面となった前面の左右方向の中間の上端に取付けた吐水部３に邪魔されることなく容易に拭き取ることができる。また、洗髪をしたり、ボウル部１で衣類等を手洗いしたり、ペットを洗ったりする際に吐水部３が邪魔にならないので、使いやすくなる。また、立ち上がり壁部２の垂直面となった前面の上端に取付けた吐水部３が立ち上がり壁部２とミラーキャビネット４の下面部とのなすコーナ部分に位置することになって、吐水部３が水跳ねにより濡れ難くて汚れが付着しにくく、更に、立ち上がり壁部２の垂直面となった前面の上端に吐水部３を取り付けるので、前方に立った使用者からはミラーキャビネット４の下端に隠れて目立ち難くなり、圧迫感がなく、外観がよくなる。
【００１１】
また、吐水部３をミラーキャビネット４の前端よりも後方にずれた位置に位置させて成ることが好ましい。
【００１２】
このような構成とすることで、よりいっそう吐水部３が目立ち難くて外観が良くなり、また、洗髪をしたり、ボウル部１で衣類等を手洗いしたり、ペットを洗ったりする際によりいっそう吐水部３が邪魔になりにくくて使い勝手がよくなる。
【００１３】
また、吐水部３の上端がミラーキャビネット４の下面に当接していることが好ましい。
【００１４】
このような構成とすることで、ミラーキャビネット４の下面と吐水部３の上端との間に隙間がなくなって、吐水部３の上端にごみが溜まったり、汚れたりしない。
【発明の効果】
【００１５】
本発明は、上記のように、ボウル部の後端部に左右方向の全巾にわたってボウル部と一体に立ち上がり壁部を上方に向けて突出し、立ち上がり壁部の垂直となった前面の左右方向の中間の上端に吐水部を取付け、該吐水部の上端を立ち上がり壁部の上端面と同一高さ又は僅かに低い位置に位置させ、立ち上がり壁部の上端面にミラーキャビネットの下面部の後端部を載設したので、立ち上がり部の上下方向の下部や中央部が水跳ねにより濡れた場合に吐水部に邪魔されることなく容易に立ち上がり壁部の前面の水がかかりやすい下部や中央部を拭き取ることができ、また、洗髪をしたり、ボウル部で衣類等を手洗いしたり、ペットを洗ったりする際に吐水部が邪魔にならずに使用勝手がよくなり、また、吐水部が垂直面となった立ち上がり壁部とミラーキャビネットの下面部とのなすコーナ部を有効に利用して配設することで、収まりがよくなると共に、前方から見た際に吐水部が目立ち難くて外観がよくなる。
【図面の簡単な説明】
【００１６】
【図１】本発明の斜視図である。
【図２】（ａ）は同上の正面図であり、（ｂ）は同上の断面図である。
【図３】同上の立ち上がり壁部の前面上端に固定吐水部を取付けた実施形態の断面図である。
【図４】同上の固定吐水部を取付けた立ち上がり部の上端面にミラーキャビネットの下面部の後端部を載置した例を示す断面図である。
【図５】同上の洗面ボウルを示し、（ａ）は平面図であり、（ｂ）は正面図であり、（ｃ）は側面図である。
【図６】同上の固定吐水部の外郭部を示し、（ａ）は斜視図であり、（ｂ）は断面図であり、（ｃ）は正面図である。
【図７】同上の立ち上がり壁部の前面上端に吐水・止水操作部を取付けた実施形態の断面図である。
【図８】同上の立ち上がり部の上端面にミラーキャビネットの下面部の後端部を載置した状態における吐水・止水操作部部分の断面図である。
【図９】同上の立ち上がり壁部の前面上端に可動吐水部を取付けた実施形態の断面図である。
【図１０】同上の可動吐水部を取付けた立ち上がり部の上端面にミラーキャビネットの下面部の後端部を載置した例を示す断面図である。
【図１１】同上の可動吐水部のシャワーヘッドを示し、（ａ）は斜視図であり、（ｂ）は断面図であり、（ｃ）は下面図である。
【図１２】（ａ）は同上の固定吐水部からボウル部への吐水方向を示す説明のための断面図であり、（ｂ）は可動吐水部からボウル部への吐水方向を示す説明のための断面図である。
【図１３】同上のミラーキャビネットの上部の断面図である。
【発明を実施するための形態】
【００１７】
以下、本発明を添付図面に示す実施形態に基いて説明する。
【００１８】
洗面化粧台５は、図１、図２に示すように、洗面キャビネット６と、ミラーキャビネット４とを組み合わせて構成してある。
【００１９】
洗面キャビネット６は下部キャビネット７の上開口部に洗面ボウル８を載設して取付けることで構成してある。
【００２０】
洗面ボウル８は図５に示すように合成樹脂や陶器成の一体成形物で、ボウル部１の後端部にボウル部１と一体に立ち上がり壁部２を上方に向けて突出することで構成してある。
【００２１】
ボウル部１は、上面の前端部、左右端部がそれぞれ巾の狭い平面視コ字状をした外周縁部９となっており、平面視で上記外周縁部９と立ち上がり壁部２に囲まれた部分が下方に凹設してあり、該凹設部１０は、平面視で底部１１となる領域と、傾斜前内壁１２となる領域と、棚部１３となる領域とに区分けされる。
【００２２】
底部１１となる領域は凹設部１０の過半を占めるもので、凹設部１０の中央部の全巾及び後部の左右隅部分を除く部分に底部１１が形成され、この底部１１の後端部の左右方向の中間部に排水部１４を設け、更に、この底部１１は僅かに排水部１４側に向けて下り傾斜しているが、物を置いた際に倒れないように略フラットになっている。
【００２３】
凹設部１０の前部は左右方向の全巾にわたって上記略フラットとなった底部１１の前端から始まって外周縁部９の前端部にかけて前に行くほど上となるように上り傾斜した傾斜前内壁１２となっていている。
【００２４】
棚部１３は凹設部１０の後部の左右両側の隅部に設けられて平面視略直角三角形状をしており、棚部１３の上面は外周縁部９よりも少し下方に下がった位置となっていて濡れた小物を載置することができるようになっている。
【００２５】
凹設部１０の後内壁１５は底部１１の後端縁及び棚部１３の後端縁から上方に垂直に突出してあって、少なくとも前面が垂直面となっている。
【００２６】
立ち上がり壁部２はボウル部１の後端部から左右方向の全巾にわたって上方に向けて一体に突出してあり、立ち上がり壁部２の前面は垂直面で上記ボウル部１の凹設部１０の後内壁１５の前面と面一に連続している。ここで、後内壁１５の前面を上ほど僅かに後ろとなるように僅かに後傾の面としてもよく、この場合は、立ち上がり壁部２の前面も僅かに後傾の面として立ち上がり壁部２の前面と後内壁１５の前面と面一に連続させる。
【００２７】
立ち上がり壁部２の背面部には下方及び背方に開口する凹所１６が設けてあり、立ち上がり壁部２の上端面は水平面となっていて後述のミラーキャビネット４の下面部の後端部を載設する部分となっている。
【００２８】
立ち上がり壁部２の前面部の上端には吐水部３が前方に突出するように設けられる。この吐水部３の上端は立ち上がり壁部２の上端面と同一高さ又は僅かに低い位置に位置させてある。
【００２９】
吐水部３としては、立ち上がり壁部２の前面上端に固定される固定吐水部３ａと、立ち上がり壁部２の前面上端から前方に引き出し自在となった可動吐水部３ｂとがある。
【００３０】
可動吐水部３ｂとしては例えばシャワーホース１７の先端に設けたシャワーヘッド１８を挙げることができる。
【００３１】
図３には立ち上がり壁部２の前面部の上端に固定吐水部３ａを取付けた例が示してあり、立ち上がり壁部２の上端に設けた孔２２部分に固定吐水部３ａを立ち上がり壁部２の前面部の上端より前方に突出するように取付けてあり、この固定吐水部３ａには立ち上がり壁部２の背面部の凹所１６に配設された配管が接続される。
【００３２】
固定吐水部３ａの外郭部１９は図６に示すように前端部を除いて縦断面が四角形状をしており、また、外郭部１９の上面は全面が水平上面２０となっており、外郭部１９は下面は前端部を除いて前にいくほど上となるように上り傾斜した傾斜面となっており、外郭部１９の前端部が斜め前下方を向く吐出先端部２１となっており、吐出先端部２１は突出方向に対して鉛直な断面形状が円形をしている。この吐出先端部２１の下端は外郭部１９の後端の下端よりも上方に位置している。
【００３３】
固定吐水部３ａの外郭部１９の水平上面２０は立ち上がり壁部２の上面と同じ高さとなっている。
【００３４】
斜め前下方を向いた吐出先端部２１の先端面に吐出口２７が設けてあって、この吐出口２７から斜め前下方に向けて吐水するようになっている。
【００３５】
吐出口２７から斜め前方に向けて吐水する吐水方向は、図１２（ａ）において一点鎖線の矢印で示すように、ボウル部１の凹設部１０の底部１１の前端と上り傾斜した傾斜前内壁１２の後端との略境界部分に吐水の中心が向かうように設定してあり、このように吐出口２７から出た吐水が凹設部１０の勾配の異なる２つの面の境界部分に当たることで、吐水を傾斜前内壁１２と底部１１とに沿って分散して流して広げることができ、これにより、吐水の水跳ねを効果的に抑制することができると共に、一方の面にのみ全吐水が流れることによる凹設部１０からの溢れを防止することができるようになっている。
【００３６】
図９には立ち上がり壁部２の前面部の上端に可動吐水部３ｂを取付けた例が示してある。立ち上がり壁部２の上端に設けた孔２２部分に筒状をしたホースホルダー２３が装着してあり、ホースホルダー２３には立ち上がり壁部２の背面部の凹所１６内に配置したホースチューブ２４の先端が接続してある。ホースチューブ２４内には変形性を有するシャワーホース１７が移動自在に挿通してあり、シャワーホース１７の一端部はホースホルダー２３から前方に引き出されその先端部に可動吐水部３ｂであるシャワーヘッド１８が接続してあり、また、シャワーホース１７の他端は上記凹所１６又は下部キャビネット７内に配置した給水用の配管に接続してあり、シャワーヘッド１８の後端はホースホルダー２３に着脱自在となっており、シャワーヘッド１８を手で掴んで引き出すことが可能で、また、シャワーヘッド１８の後端部をホースホルダー２３の前面側に位置させた状態でホースホルダー２３に保持させることができるようになっている。そして、上記のようにシャワーヘッド１８を引き出し自在とすることを可能とするためシャワーホース１７は途中に余裕を持たせて弛ませてある。
【００３７】
ホースホルダー２３の立ち上がり壁部２の前面から突出した部分は縦断面四角形状をしており、また、図１１に示すように、シャワーヘッド１８は後部が縦断面略四角形状をした四角筒部２５となっており、シャワーヘッド１８の前部が上記四角筒部２５の前端から前下方に向けて傾斜した傾斜筒部２６とし、傾斜筒部２６は横幅が四角筒部２５の横幅よりも広く且つ断面円形に形成してある。上記ホースホルダー２３の立ち上がり壁部２の前面から突出した部分の上面及びシャワーヘッド１８の上面は水平上面２０となっており、図９に示すように、シャワーヘッド１８の後端部をホースホルダー２３の前面側に位置させて保持した状態でシャワーヘッド１８の水平上面２０とホースホルダー２３の水平上面２０とが略面一となるようになっており、この水平上面２０は立ち上がり壁部２の上端面よりも僅かに低い位置に位置している。この場合水平上面２０から立ち上がり壁部２の上端面までの寸法は、立ち上がり壁部２の上端面に後述のようにミラーキャビネット４の下面部後端を載置した状態で、シャワーヘッド１８を手指で掴んで引き出すことができるように、シャワーヘッド１８の水平上面２０とミラーキャビネット４の下面部との間に手指が差し込むことができる寸法となっている。
【００３８】
傾斜筒部２６の先端面には吐出口２７が設けてあって、この吐出口２７から斜め前下方に向けて吐水するようになっており、シャワーヘッド１８をホースホルダー２３の前面側に保持させた状態において、吐出口２７からの吐水方向は、図１２（ｂ）の一点鎖線の矢印で示すように、ボウル部１の凹設部１０の底部１１の前端と上り傾斜した傾斜前内壁１２の後端との境界部分に吐水の中心が向かうように設定してあって、吐水を傾斜前内壁１２と底部１１とに沿って分散して流して広げ、吐水の水跳ねを効果的に抑制し、また、一方の面にのみ全吐水が流れることによる凹設部１０からの溢れを防止することができるようになっている。
【００３９】
また、図７に示すように立ち上がり壁部２の前面部の上端には更に吐水・止水操作部２Ａが設けてある。この吐水・止水操作部２Ａは、立ち上がり壁部２の前面上端部に取付けた操作部本体５０と、立ち上がり壁部２の前面側において操作部本体５０に被せた外郭ケース５１と、外郭ケース５１の前面側に配置して上端部を操作部本体５０の前端部に取付けた操作レバー５２とで構成してあり、操作レバー５２を操作することで吐出口２７に連通する水路に設けた弁（図示せず）を操作して吐出口２７からの吐水、止水、吐水時における流量調整、及び湯温調整を行うようになっており、実施形態では操作レバー５２を前後方向に回動することで、吐水、止水と、吐水時における流量調整を行い、操作レバー５２を左右方向に回動することで湯温調整を行うようになっている。
【００４０】
上記外郭ケース５１は上面が水平上面２０、両側面が垂直面、下面が半円状をしており、水平上面２０は立ち上がり壁部２の上端面と同一高さとなっている。また、操作レバー５２の下端部は外郭ケース５１の前面の下端より下方に突出している。
【００４１】
また、立ち上がり壁部２の前面から操作レバー５２の前端までの寸法は、立ち上がり壁部２の前面から吐水部３の前端までの寸法と同じか短い寸法となっている。
【００４２】
ミラーキャビネット４の上部に照明部３０を設けてある。このミラーキャビネット４は、キャビネット本体２８の上端部を除く大部分が収納用キャビネット部２８ａとなっており、上端部が照明用キャビネット部２８ｂとなっており、このキャビネット本体２８は合成樹脂の一体成形により形成してある。収納用キャビネット部２８ａの前面部にはミラー３２が開閉自在に取付けてあり、また、照明用キャビネット部３０の前面部には照明カバー３３が取付けてある。
【００４３】
ミラー３２は閉じた状態で収納用キャビネット部２８ａに設けた前方に開口した収納部を覆っており、ミラー３２を回動して開くことで、収納部を開口することができる。
【００４４】
照明用キャビネット部２８ｂには図１３に示すように前方に開口する照明用収納部３５が設けてあって、該照明用収納部３５にランプ３６を含む照明器具本体が収納される。該ランプ３６はミラー３２の前面よりも後方にずれた位置に位置している。照明用収納部３５の前面には照明カバー３３が着脱自在に取付けられ、該照明カバー３３の前面がミラー３２の前面と面一又は略面一となっている。
【００４５】
照明カバー３３は図１３に示すように、キャビネット本体２８の前面部に着脱自在に取付けるカバー本体３８と、カバー本体３８に対して着脱自在に取付ける透明板３９とで構成してある。
【００４６】
カバー本体３８は全体が不透明で、図１３に示すように前面部の上部が前面上部カバー部４０となり、前面部の下部が下開口部４１となっており、下開口部４１の背部が斜め前下方に向けて下り傾斜した傾斜面部４２となっており、前面上部カバー部４０の下端部と傾斜面部４２との間が中開口部４３となっており、また、前面部の上端縁、左右側端縁、下端縁から背方に向けて上横片４４ａ、左右側片４４ｂ、下横片４４ｃよりなる外周枠部４４が一体に突設してあり、外周枠部４４の後端部に設けた係止部４５をキャビネット本体２８の前面部に設けた被係止部４６に着脱自在に係止することで、カバー本体３８をキャビネット本体２８に着脱自在に取付けてある。
【００４７】
透明板３９はカバー本体３８の上記中開口部４３部分に着脱自在に取付けるようになっており、透明板３９に設けた係合部４７をカバー本体３８に設けた被係合部４９に着脱自在に係合するようになっている。
【００４８】
透明板３９を中開口部４３に取付けた状態で中開口部４３を透明板３９で覆うようになっており、更に、取付け状態で透明板３９は後側程下となるように斜め後下方に下り傾斜した姿勢に取付けられる。
【００４９】
この斜め後下方に下り傾斜した透明板３９の上方位置に上記ランプ３６が位置するようになっており、ランプ３６からの光は透明板３９を介して下開口部４１から斜め前下方に向けて照射されることになる。
【００５０】
ここで、ランプ３６から照射された光の一部は透明板３９を通過して下開口部４１から直接下開口部４１から斜め前下方に向けて照射され、また、他の一部の光は透明板３９を通過して傾斜面部４２に反射されて下開口部４１から前方又は斜め前下方に照射され、更に、他の一部の光は不透明の前面上部カバー部４０、上横片４４ａに反射され、反射された光が透明板３９を通過して、傾斜面部４２に反射されて下開口部４１から前方又は斜め前下方に照射され、これにより、主として図１３のイで示す範囲で斜め前下方に照射されてミラー３２の前方位置を照らすようになっている。
【００５１】
したがって、ミラーキャビネット４の外観をよくするために照明カバー３３がミラー３２と面一又は略面一となっていても、本発明においては照明カバー３３の斜め前下方であるミラー３２の前方位置を効果的に照明できることになる。
【００５２】
上記の構成のミラーキャビネット４は下端面部（キャビネット本体２８）の後端を、図１乃至図３に示すように、洗面キャビネット６の上部に設けた洗面ボウル８の後端部に一体に突設した立ち上がり壁部２の上端面に載設して、ミラーキャビネット４のキャビネット本体２８の背面部を建物の壁に固定する。
【００５３】
このようにミラーキャビネット４は下端面部の後端を立ち上がり壁部２の上端面に載設した状態で、立ち上がり壁部２の前面部の上端に設けた吐水部３（固定吐水部３ａ、可動吐水部３ｂ）は、立ち上がり壁部２とミラーキャビネット４の下面部とのなすコーナ部分に位置することになり、また、吐水部３の前端（固定吐水部３ａの前端、可動吐水部３ｂをホースホルダー２３の前面側に位置させて保持した状態における可動吐水部３ｂの前端）はミラーキャビネット４の前端よりも後方にずれて後退して位置している。
【００５４】
したがって、洗面化粧台５の前方に立っている使用者（この場合、使用者の顔の位置がミラー３２に対向した位置となっている）からは、立ち上がり壁部２とミラーキャビネット４の下面部とのなすコーナ部分に位置し且つミラーキャビネット４の前端よりも後方にずれて位置している吐水部３が、ミラーキャビネット４の下端に隠れて目立ち難くなり、外観がすっきりしてよくなる。
【００５５】
また、立ち上がり壁部２の前面部の上端に設けた吐水・止水操作部２Ａの突出基部である外郭ケース５１も立ち上がり壁部２とミラーキャビネット４の下面部とのなすコーナ部分に位置し且つミラーキャビネット４の前端よりも後方にずれて位置しており、したがって、洗面化粧台５の前方に立っている使用者（この場合、使用者の顔の位置がミラー３２に対向した位置となっている）からは、外郭ケース５１がミラーキャビネット４の下端に隠れて目立ち難くなり、この点でも外観がすっきりしてよくなる。
【００５６】
ここで、吐水部３が固定吐水部３ａの場合、図４、図８に示すように、固定吐水部３ａの水平上面２０及び吐水・止水操作部２Ａの外郭ケース５１の水平上面２０がそれぞれがミラーキャビネット４の下面部に隙間なく当接するようになっており、ミラーキャビネット４の下面部の後端部を立ち上がり壁部２の上端面に載置してミラーキャビネット４のキャビネット本体２８の背面部を建物の壁に固定する際に、ミラーキャビネット４の下面部の後端部を立ち上がり壁部２の上端面に載置する際に同時に固定吐水部３ａの水平上面２０及び、吐水・止水操作部２Ａの外郭ケース５１の水平上面２０にもミラーキャビネット４の下面部を載置することができ、ミラーキャビネット４の下面部を安定して位置決めした状態で支持することができ、この位置決め支持した状態でミラーキャビネット４のキャビネット本体２８の背面部を建物の壁に固定することができる。
【００５７】
また、固定吐水部３ａの水平上面２０及び吐水・止水操作部２Ａの外郭ケース５１の水平上面２０がそれぞれはミラーキャビネット４の下面部に隙間なく当接することで、水平上面２０とミラーキャビネット４の下面部との間に隙間が生じることがなく、この部分に埃等が溜まることがなく、狭い隙間に溜まった埃を掃除する必要がなく、また、掃除するとしても縦面となった両側面と下面とを掃除するだけでよいので、掃除も簡単となる。
【００５８】
ところで、キャビネット本体２８は合成樹脂の成形品により構成してあるが、成形誤差等によりキャビネット本体２８の下面部が成形誤差により多少波打っていたり、傾いたりすることがある。したがって、立ち上がり壁部２の上端面にミラーキャビネット４の下面部を載置した際に上記固定吐水部３ａの水平上面２０及び、吐水・止水操作部２Ａの外郭ケース５１の水平上面２０がミラーキャビネット４の下面に隙間なく密接しないことがある。この点を考慮して図３、図７に示すように水平上面２０に弾性シート５３を設け、該弾性シート５３を介して水平上面２０を図４、図８に示すようにミラーキャビネット４の下面に隙間なく密接するようにしてもよい。
【００５９】
一方、吐水部３が可動吐水部３ｂの場合、吐水・止水操作部２Ａの外郭ケース５１の水平上面２０は前述のようにミラーキャビネット４の下面部の後端部に当接するが、図１０に示すように、ミラーキャビネット４の下面と可動吐水部３ｂの水平上面２０との間には隙間が形成される。しかしながら、この隙間は手指を差し入れることができる程度の僅かな隙間であるため、外部から殆ど見えないようになっていると共に、可動吐水部３ｂは引き出しに支障がないという条件下で最大限立ち上がり壁部２の前面の上端に位置するように取付けることができる。
【００６０】
可動吐水部３を後退させて後端をホースホルダー２３に着脱自在に取付けた状態で使用できるのは勿論、可動吐水部３を手指で掴んで手前に引き出して使用することもできる。この場合、可動吐水部３であるシャワーヘッド１８の前部の傾斜筒部２６を手で掴んで手前に引き出すのであるが、この時、手指の一部を可動吐水部３の水平上面２０とミラーキャビネット４の下面との間に差し込むことも可能で、したがって、しっかりとシャワーヘッド１８の前部の傾斜筒部２６を手で掴んで引き出すことができる。しかも傾斜筒部２６の横幅が四角筒部２５の横幅よりも広く且つ断面円形に形成してあるので、確実に傾斜筒部２６を掴むことができる。
【００６１】
上記のように、立ち上がり壁部２を上方に向けて突出し、該立ち上がり壁部２の前面部の上端に吐水部３を設け、該吐水部３の上端を立ち上がり壁部２の上端面と同一高さ又は僅かに低い位置に位置させてあるので、立ち上がり壁部２の前面の上下方向の下部、場合によっては中央部が水跳ね（吐水部３からの吐水が物に当たって飛び散ることによる水跳ね、あるいは、顔を手で洗っている時などに手から水が飛び散ることによる水跳ね）により濡れることがあっても、立ち上がり壁部２の前面の下部や中央部の濡れた部分を拭く際に立ち上がり壁部２の前面に設けた吐水部３に邪魔されることなく拭き取ることができる。また、吐水部が水跳ねにより濡れ難くて汚れが付着しにくくなり、したがって、吐水部３の掃除をする頻度が少なくてよくなる。
【００６２】
また、吐水部３が立ち上がり壁部２の前面上端とミラーキャビネット４の下面部とのなすコーナ部分に位置することになるので、洗髪をしたり、ボウル部で衣類等を手洗いしたり、ペットを洗ったりする際に吐水部３が邪魔にならず、使い勝手がよくなる。また、圧迫感がなく、外観がよくなる。
【符号の説明】
【００６３】
１  ボウル部
２  立ち上がり壁部
３  吐水部
４  ミラーキャビネット
【図１】
2012020192.tif 000003
【図２】
2012020192.tif 000004
【図３】
2012020192.tif 000005
【図４】
2012020192.tif 000006
【図５】
2012020192.tif 000007
【図６】
2012020192.tif 000008
【図７】
2012020192.tif 000009
【図８】
2012020192.tif 000010
【図９】
2012020192.tif 000011
【図１０】
2012020192.tif 000012
【図１１】
2012020192.tif 000013
【図１２】
2012020192.tif 000014
【図１３】
2012020192.tif 000015